(57)【特許請求の範囲】
【請求項１】
底部に結合装置が設けられた耳式体温計のプローブに被せ、中空構造の本体と台座とにより構成され、前記本体は開放端と前記開放端に対応する密閉端とを有し、前記開放端から前記密閉端までの間に断面直径が徐々に縮小する前記中空構造を有する組立式耳式体温計プローブカバーであって、
前記本体は、プラスチックで一体成型され、前記開放端は径方向に外向きに少なくとも１段のフランジリングが延伸してあり、
前記台座は、ベースと、ベース中央付近の開口とを含み、
前記開口は、前記本体の開放端に対応し、
前記ベースには少なくとも一つのスロットが設けられ、
前記スロットの一端には少なくとも一つの入口が設けてあり、
前記本体のフランジリングは前記入口から入れて前記台座に嵌合できるとともに、前記組立式プローブカバーを前記耳式体温計の測定用プローブに順調に被せられるように、前記本体のフランジリングを前記台座に嵌合して、前記本体を前記台座の開口の箇所で微かに移動可能に構成したことを特徴とする組立式耳式体温計プローブカバー。
【請求項２】
中空構造の本体と台座とにより構成され、底部には結合装置が設けてある耳式体温計のプローブに被せるために用いられる組立式耳式体温計プローブカバーの製造方法であって、
開放端と前記開放端に対応する密閉端とを有し、前記開放端から前記密閉端までの間に断面直径が徐々に縮小する中空構造を有する本体を提供するステップと、
ベースと、ベース中央付近の開口とを含み、前記開口は、前記本体の開放端に対応する台座を提供するステップとを含む組立式耳式体温計プローブカバーの製造方法において、
前記ベースは少なくとも１つのスロットが形成してあるとともに、前記スロットの一端には少なくとも１つの入口が設けられており、
前記本体はプラスチックで一体成型され、前記本体の開放端は径方向に外向きに少なくとも１段のフランジリングが延伸してあり、
前記本体のフランジリングを前記台座の入口から入れて前記台座に嵌合できるとともに、前記本体が前記台座の開口の箇所で微かに移動して前記組立式プローブカバーを前記耳式体温計の測定用プローブに順調に被せられるように、前記本体のフランジリングを前記台座に嵌合させることを特徴とする組立式耳式体温計プローブカバーの製造方法。
【発明の詳細な説明】
【技術分野】
【０００１】
本発明は、耳式体温計プローブカバーに関し、特に組立式の耳式体温計プローブカバーに関する。
【背景技術】
【０００２】
従来の耳式体温計のプローブを覆うプローブカバーは、米国特許第５０８８８３４号公報、米国特許第６０２２１４０号公報に開示されているように、単一部材式の耳式体温計カバーであり、耳式体温計プローブカバー近位のフレームと耳式体温計プローブ上の耳フックとを利用して互いにかけ、耳式体温計カバーを耳式体温計プローブに固定し、さらに側辺を利用し、耳式体温計プローブで耳式体温計プローブカバー端部の表面を引っ張るときに生じる力を解放するが、側辺材料が有する弾性には限りがある。
【０００３】
この構造では吸収可能な製造上生成される公差には限りがある。
つまり、耳式体温計カバーの端部表面の部分を有効にかつ適切に平らに張ることができず、耳式体温計作用時に測定したときに温度差が生まれる
【０００４】
また、米国特許第５１６３４１８号公報、米国特許第５９０６４３７号公報、米国特許第６３７１６３９号公報、米国特許第６６４７２８４号公報等に開示されているように、耳式体温計カバーの本体は、いずれも薄膜により構成され、その組立工程が複雑である。
【０００５】
さらに前記した耳式体温計カバーは見た目がよくなく、表面にしわができて、耳に入れると不快感が生まれやすい。
【０００６】
【特許文献１】米国特許第５０８８８３４号
【特許文献２】米国特許第６０２２１４０号
【特許文献３】米国特許第５１６３４１８号
【特許文献４】米国特許第５９０６４３７号
【特許文献５】米国特許第６３７１６３９号
【特許文献６】米国特許第６６４７２８４号
【発明の開示】
【発明が解決しようとする課題】
【０００７】
本発明は以上の従来の耳式体温計プローブのプローブカバーの欠点に鑑みて成されたもので、本発明は、従来技術に対し改良を加え、組立式耳式体温計プローブカバーを耳式体温計のプローブに被せるときに、微かに移動させて調整することができ、さらにプローブ端部上に被せるプローブカバーを平滑にすることができ、赤外線が安定して透過するようにし、さらに耳式体温計で測定される温度が安定し、かつ正確であることを確実にする組立式耳式体温計プローブカバーを提供するものである。
【０００８】
本発明は、主に中空構造の本体と台座により構成された組立式耳式体温計プローブカバーを提供する。そのうち、本体は開放端と、開放端に対応した密閉端とを有し、開放端から密閉端までの間に、直径が徐々に縮小する中空構造を有する。
【０００９】
そのため、本発明の主な目的は、耳式体温計のプローブに被せた後、自動的に正確に調節でき、脱落しにくい組立式耳式体温計プローブカバーを提供することにある。
【００１０】
本発明の他の目的は、耳式体温計のプローブに被せた後、プローブ端部上に被せたプローブカバーを平滑にし、より安定し、誤差の変化がより小さい測定結果を提供する組立式耳式体温計プローブカバーを提供することにある。
【００１１】
本発明のもう１つの目的は、耳式体温計プローブカバーを耳式体温計のプローブカバーに被せた後、自動調整を行い、脱落しにくい組立式耳式体温計プローブカバーの製造方法を提供することにある。
【００１２】
本発明のさらにもう１つの目的は、耳式体温計プローブカバーを耳式体温計のプローブカバーに被せた後、プローブ端部上に被せたプローブカバーを平滑にし、より安定し、誤差の変化がより小さい測定結果を提供する組立式耳式体温計プローブカバーの製造方法を提供することにある。
【課題を解決するための手段】
【００１３】
本発明は、主に中空構造の本体と台座により構成された組立式耳式体温計プローブカバーを提供する。そのうち、本体は開放端と、開放端に対応した密閉端とを有し、開放端から密閉端までの間に、直径が徐々に縮小する中空構造を有する。
【発明の効果】
【００１４】
本発明は、耳式体温計のプローブに被せた後、自動的に正確に調節できて、脱落しにくい。
【００１５】
本発明は、耳式体温計のプローブに被せた後、プローブ端部上に被せたプローブカバーを平滑にし、より安定し、誤差の変化がより小さい測定結果を提供することができる。
【００１６】
本発明は、耳式体温計プローブカバーを耳式体温計のプローブカバーに被せた後、自動調整を行い、脱落しにくい組立式耳式体温計プローブカバーの製造方法を提供することができる。
【００１７】
本発明は、耳式体温計プローブカバーを耳式体温計のプローブカバーに被せた後、プローブ端部上に被せたプローブカバーを平滑にし、より安定し、誤差の変化がより小さい測定結果を提供する組立式耳式体温計プローブカバーの製造方法を提供することができる。
【発明を実施するための最良の形態】
【００１８】
本発明は組立式耳式体温計プローブカバーに関するものである。
利用されている耳式体温計の基本原理は、関連技術分野の通常の知識を有する者であれば理解することができるため、以下の説明において詳細な説明を省略する。
また、以下の説明で引用する図面は、本発明の特徴に関する構造の概要を表したものであり、実寸に基づいた製作図面でないことを先に述べる。
【００１９】
図１Ａは、本発明に係る第１実施例に係る組立式耳式体温計プローブカバー１の概要図である。
【００２０】
組立式耳式体温計プローブカバー１は、本体１１、台座１２、開放端１１１、密閉端１１２、フランジリング１１３、ベース１２１、開口１２２、突出部４１などの構造を含む。
そのうち、この組立式耳式体温計プローブカバー１は、耳式体温計のプローブ２１に被せるため、図２Ａのように、耳式体温計のプローブ２１底部に結合装置２１１をさらに設けてある。
【００２１】
この結合装置２１１の構造は、環状の構造とすることができ、この結合装置２１１によって、組立式耳式体温計プローブカバー１を耳式体温計のプローブ２１に被せるときに、プローブ２１底部の結合装置２１１を組立式耳式体温計プローブカバー１のベース１２１中央付近の開口１２２と台座１２の突出部４１との間に嵌合することによって、固定する効果を達成することができる。
【００２２】
前記の本体１１は、中空構造であり、プラスチックで一体成型されており、開放端１１１と、開放端１１１に対応した密閉端１１２とを有す。
前記中空構造の形状は、開放端１１１から密閉端１１２までの間の両者の直径が徐々に縮小した形状をしているため、この中空構造の形状は、先端を切り取った短錐体を呈している。
そのうち、本体１１の材質は、ポリエチレン（ＰＥ，ｐｏｌｙｅｔｈｙｌｅｎｅ）、ポリプロピレン（ＰＰ，ｐｏｌｙｐｒｏｐｙｌｅｎｅ）、ポリカーボネート（ＰＣ，Ｐｏｌｙｃａｒｂｏｎａｔｅ）、ポリスチレン（ＰＳ，Ｐｏｌｙｓｔｙｅｎｅ）、ポリエチレンテレフタラート（ＰＥＴ，Ｐｏｌｙ Ｅｔｈｙｌｅｎｅ Ｔｅｒｅｐｈｔｈａｌａｔｅ）又はポリ塩化ビニル（ＰＶＣ，Ｐｏｌｙ Ｖｉｎｙｌ Ｃｈｉｏｒｉｄｅ）などの赤外線を透過できる材質で構成される。
【００２３】
前記の密閉端１１２は、耳式体温計プローブ２１端部で、人体から発射される放射波（すなわち赤外線範囲）が通過する薄膜である。
本体１１のプラスチックの厚さは、開放端１１１から密閉端１１２の方向に従って徐々に薄くなるため、密閉端１１２は、この組立式耳式体温計プローブカバー１で最も薄い部位である。
【００２４】
前記の開放端１１１は、その径方向から外向きに少なくとも１段のフランジリング１１３が延伸してある。
そのうちこのフランジリング１１３は、シームレスに相互に連接して１段をなすことができるだけでなく、継ぎ目又は開口のある段階式のフランジリング１１３とすることもできる。
【００２５】
そのうち、シームレスに相互に連接して１段をなすフランジリング１１３が好ましい。
前記台座１２は、ベース１２１及びベース中央付近の開口１２２を含む。
本体１１を台座１２に嵌合するときに、ベース中央付近の開口１２２は、本体１１の開放端１１１に互いに対応した方向にある。
【００２６】
ベース１２１は、１対のスロット１２１１がさらに設けてある。該入口１２１３は各スロット１２１１の一端に設けられる。
このスロット１２１１は対称に設けられる。
前記フランジリング１１３は、入口１２１３から入れることにより台座１２に嵌合する。
スロット１２１１の入口１２１３の距離を、本体１１のフランジリング１１３の最大直径よりも小さくすることにより、本体１１のフランジリング１１３を、入れた後に脱落しにくくすることができる。
【００２７】
スロット１２１１の後端１２１４の距離を入口１２１３の距離よりも小さくしているのは、本体１１のフランジリング１１３の移動を制限するためである。
スロット１２１１の後端１２１４は、スロット１２１１を一緒に接続するために、さらに伸ばすこともできる(図４参照)。
本体１１のフランジリング１１３を台座１２に嵌合した後、本体１１は開口１２２の箇所で微かに移動させることができる。
【００２８】
そのため、組立式耳式体温計プローブカバー１を耳式体温計のプローブ２１に被せるときに、本体１１を微かに移動させ、組立式耳式体温計プローブカバー１を耳式体温計のプローブ２１に簡単に順調に被せることができる。
【００２９】
前記台座１２のベース１２１は、さらに少なくとも１つのストッパー１２１２を設けることも、本体１１を制限するフランジリング１１３の移動を制限する効果を提供することもできる。
台座１２はガイドエッジ１２３をさらに含むことができ、これによって、組立式耳式体温計プローブカバー１の組立または配列の方向のガイドを提供する。
【００３０】
前記のスロット１２１１とバース１２１は、一体成型で製造することができるだけでなく、スロット１２１１とベース１２１を相互に組み立てて製造することもできる。
【００３１】
そのうちスロット１２１１とベース１２１を一体成型で製造することが好ましい。
スロット１２１１とベース１２１を相互に組み立てる方式は、貼り合わせて固定、又はホットメルトで固定することにより構成される方式から選んで固定することができる。
【００３２】
前記台座１２のベース１２１の開口１２２に向かう箇所に１つの突起装置４を設ける。
突起装置４は、少なくとも２つの突出部４１である。
かつベース中央付近の開口１２２の直径は、本体１１の開放端１１１の直径よりも小さくし、組立式耳式体温計プローブカバー１を耳式体温計のプローブ２１に被せるとき、さらに耳式体温計プローブ２１上の結合装置２１１を台座１２中央の開口１２２と突出部４１との間に嵌合させることにより、固定の効果を達成することができる。
【００３３】
そのうち、前記の突出部４１の設置方式は、対称的に設置するだけでなく、不等間隔で設置することもでき、そのうち対称の方式で設置することが好ましい。
【００３４】
図３Ａから図３Ｂを参照して、突出部４１は台座１２の方向に向けてさらにガイド面４１１が設けてある。
そのうち、突出部４１は本体１１の方向に向けてさらに制止面４１２が設けてあり、被せる方向３にて組立式耳式体温計プローブカバー１を耳式体温計のプローブ２１に被せる。
【００３５】
前記のガイド面４１１と被せる方向３により形成される第１夾角θ１は、制止面４１２と被せる方向３により形成される第２夾角θ２よりも小さいため、組立式耳式体温計プローブカバー１を耳式体温計のプローブ２１に被せるとき、被せやすいが、脱落しにくい組立式耳式体温計プローブカバー１を形成することにより、固定の効果を達成する。
【００３６】
前記の組立式耳式体温計プローブカバー１は、制止面４１２から密閉端１１２までの長さが耳式体温計の結合装置２１１からプローブ２１端部までの長さよりも短いため、組立式耳式体温計プローブカバー１をプローブ２１に被せた後、耳式体温計のプローブ２１底部の結合装置２１１が制止面４１２に当接するとき、その耳式体温計の結合装置２１１からプローブ２１端部までの長さが組立式耳式体温計プローブカバー１の制止面４１２から密閉端１１２までの長さよりも大きいことにより、本体１１が引っ張られて変形し、密閉端１１２が平滑面を呈するようにする。
【００３７】
このようにすることで、赤外線を安定して透過させて、耳式体温計２で測定される測定温度の誤差を小さくすることができる。
【００３８】
図１Ｂから図４に本発明の第２実施例に係る組立式耳式体温計プローブカバー１を示す。
本例の組立式耳式体温計プローブカバー１は、本体１１、台座１２、開放端１１１、密閉端１１２、フランジリング１１３、ベース１２１、開口１２２及び突出リング４２などの構造を含む。
【００３９】
結合装置２１１は、突起構造又は環状構造とすることができる。
この結合装置２１１により、耳式体温計のプローブ２１を組立式耳式体温計プローブカバー１のベース１２１中央付近の開口１２２と台座１２の突出リング４２との間に嵌合することができる。
これによって固定の効果を達成する。
組立式耳式体温計プローブカバー１のその他の特徴は、前記の第１実施例で開示したとおりである。
【００４０】
本発明に係る第３実施例は、第１実施例で示した組立式耳式体温計プローブカバー１の製造方法を示すものである。
この製造方法は、（１）プラスチックで一体成型して製造する。開放端１１１は径方向に外向きに少なくとも１段のフランジリング１１３が延伸してある本体１１を提供するステップと、（２）ベース１２１と、ベース中央付近の開口１２２とを含み、開口１２２が本体の開放端１１１に対応し、ベース１２に少なくとも１つの入口１２１３が形成してあり、入口１２１３は、本体１１のフランジリング１１３をベース１２１に嵌合できるようにする台座１２を提供するステップとを含む。そのうち、この実施例の結合装置２１１は環状構造（図２Ａ参照）であり、この結合装置２１１により、耳式体温計のプローブ２１を組立式耳式体温計プローブカバー１のベース１２１中央付近の開口１２２と台座１２の突出部４１との間に嵌合することができ、これによって固定の効果を達成する。
【００４１】
組立式耳式体温計プローブカバー１のその他の特徴は、前記の第１実施例で開示したとおりである。
【００４２】
本発明に係る第４実施例は、第２実施例に基づき提出した組立式耳式体温計プローブカバー１の製造方法を示す。
【００４３】
この製造方法は、（１）プラスチックで一体成型して製造し、開放端１１１は径方向に外向きに少なくとも１段のフランジリング１１３が延伸してある本体１１を提供するステップと、（２）ベース１２１と、ベース中央付近の開口１２２とを含み、開口１２２が本体の開放端１１１に対応し、ベース１２１に少なくとも１つの入口１２１３が形成してあり、入口１２１３は、本体１１のフランジリング１１３をアウターリング１２１に嵌合できるようにする台座１２を提供するステップとを含む。そのうち、この実施例の結合装置２１１は突起構造（図２Ｂ参照）又は環状構型（図２Ａ参照）とすることができ、この結合装置２１１により、耳式体温計のプローブ２１を組立式耳式体温計プローブカバー１のベース１２１中央付近の開口１２２と台座１２の突出リング４２との間に嵌合することができ、これによって固定の効果を達成する。
【００４４】
組立式耳式体温計プローブカバー１のその他の特徴は、前記の第１実施例で開示したとおりである。
【００４５】
以上の記載は、本発明の比較的優れた実施例の説明であり、本発明を限定するものではない。また、以上の説明は、本技術分野を熟知した専門家であれば理解し、実施することができるため、本発明で開示された主旨を逸脱せずに完成したその他の同等の変更又は修飾は、いずれも本発明に含まれるものである。
【図面の簡単な説明】
【００４６】
【図１Ａ】本発明に係る第１実施例の説明図であって、突出部を有する組立式耳式体温計プローブカバーの構造図である。
【図１Ｂ】本発明に係る第２実施例の説明図であって、突出リングを有する組立式耳式体温計プローブカバーの構造図である。
【図２Ａ】本発明で提出された第１実施例又は第２実施例に基づく、結合装置を環状構造とする耳式体温計プローブの概要図である。
【図２Ｂ】本発明で提出された第２実施例に基づく、結合装置を突起構造とする耳式体温計プローブの概要図である。
【図３Ａ】本発明で提出された第１実施例又は第２実施例に基づく、組立式耳式体温計プローブカバーを耳式体温計プローブに被せた後の断面構造の組立断面図である。
【図３Ｂ】本発明で提出された第１実施例又は第２実施例に基づく、組立式耳式体温計プローブカバーを耳式体温計プローブに被せた後の局部断面構造の図３ＡにおけるＡ部分の局部拡大図である。
【図４】本発明で提出された第１実施例又は第２実施例に基づく、組立式耳式体温計プローブカバーの台座の概要図である。
【符号の説明】
【００４７】
１            組立式耳式体温計プローブカバー
１１          本体
１１１        開放端
１１２        密閉端
１１３        フランジリング
１２          台座
１２１        ベース
１２２        開口
１２１１      スロット
１２１２      ストッパー
１２１３      入口
１２１４      後端
４            突起装置
４１          突出部
４２          突出リング
４１１        ガイド面
４１２        制止面
２            耳式体温計
２１          プローブ
２１１        結合装置
３            被せる方向
【図１Ａ】
0004665010.tif 000002
【図１Ｂ】
0004665010.tif 000003
【図２Ａ】
0004665010.tif 000004
【図２Ｂ】
0004665010.tif 000005
【図３Ａ】
0004665010.tif 000006
【図３Ｂ】
0004665010.tif 000007
【図４】
0004665010.tif 000008